(57)【要約】【課題】木屑用集塵装置を備えたプレカット設備により木材に切削加工を施す際に、一部の木屑が箱体を塞ぐカバーの刃物用開口から外部に飛び出すことを確実に防止することができる。【解決手段】木材の端部を覆う、下流面（Ｓ２）が開放された箱体７と、箱体７の下流面（Ｓ２）を塞ぐ板状カバー８とを備え、カバー８には、木口加工用の複数の刃物１０が出入りする刃物用開口１１が刃物毎に形成され、カバー８は、木口加工時に刃物１０と一体的に垂直面内を移動する、木材のプレカット設備用集塵装置において、複数個の開口１１の各々の外側に、刃物１０が挿通可能な筒体１２が取り付けられ、木口加工時に、筒体１１の内、木口（Ｍ）と正対しない筒体１２は、加工を行っていない他の刃物１０により塞がれる。【選択図】図１
2007283725.tif 000002
【特許請求の範囲】
【請求項１】
木材の加工部を覆う、少なくとも一面が開放面となっている箱体と、前記箱体の前記開放面を塞ぐ板状カバーとを備え、前記カバーには、木材加工用の複数の刃物が出入りする開口が前記刃物毎に形成され、前記カバーは、木材加工時に前記刃物と一体的に垂直面内を移動する、木材のプレカット設備用集塵装置において、
前記複数個の開口の各々の外側に、前記刃物が挿通可能な筒体が取り付けられ、木材加工時に、前記筒体の内、前記加工部と正対しない筒体は、加工を行っていない他の刃物により塞がれることを特徴とする、木材のプレカット設備用集塵装置。
【請求項２】
前記筒体内には、柔軟性を有し、スリットが放射状に形成されたシール材が設けられていることを特徴とする、請求項１記載の、木材のプレカット設備用集塵装置。
【請求項３】
前記開口内には、柔軟性を有し、スリットが放射状に形成されたシール材が設けられていることを特徴とする、請求項１記載の、木材のプレカット設備用集塵装置。
【発明の詳細な説明】
【技術分野】
【０００１】
この発明は、木材のプレカット設備用集塵装置、特に、木屑用集塵装置を備えたプレカット設備により木材に切削加工を施す際に、一部の木屑が集塵装置外に飛び出すことを確実に防止することができる、木材のプレカット設備用集塵装置に関するものである。
【背景技術】
【０００２】
予め設定された加工データに基づいて、住宅の木造軸組工法に使用される木材を自動的に切削加工する、木材のプレカット装置としては、図５に示すようなものがある。このプレカット装置は、長さ切断機２、中間部加工機３、第１端部加工機５Ａおよび第２端部加工機５Ｂを備えたものであり、以下のようにして、予め設定された加工データに基づいて、木材（Ｗ１）を自動的に切削加工するものである。
【０００３】
搬入機１から加工ライン（Ｌ）に搬入された木材（Ｗ１）は、長さ切断機２により所定の長さに切断された後、中間部加工機３に搬送され、ここで、縦加工、横加工および溝加工等の加工が施される。中間部加工機３により中間部の加工が終了した木材（Ｗ１）は、中間搬送機４によって第１端部加工機５Ａに搬入され、ここで、一方の端部に木口加工が施され、次いで、第２端部加工機５Ｂに搬入され、ここで、他方の端部に木口加工が施される。このようにして、全ての加工が終了した加工済み木材（Ｗ２）は、搬出機６によって加工ライン（Ｌ）外に搬出される。
【０００４】
上記プレカット装置によれば、木材（Ｗ１）は、高速回転する刃物により切削加工されるので、切削の際に多量の木屑が勢いよく四方に飛び散る。木屑の飛散は、危険が伴うと共に周囲を汚す。従って、木屑の飛散防止のために、木材（Ｗ１）の切削加工部に木屑用集塵装置が設置されている。
【０００５】
以下に、木材（Ｗ１）の木口加工の際に生じる木屑を集塵する従来集塵装置について、図面を参照しながら説明する。
【０００６】
この従来集塵装置は、図６に示すように、木材（Ｗ１）の端部を覆う直方体状箱体７と板状カバー８とからなっている。箱体７は、定位置に垂直に固定され、その上流面（Ｓ１）には、木材（Ｗ１）の端部が挿通される四角形状の木材用開口７Ｂが形成され、下流面（Ｓ２）は、開放され、底部には、木屑の排出ダクト７Ａが設けられている。排出ダクト７Ａは、吸引ブロワ（図示せず）に接続されている。カバー８には、モータ９により回転する切削用刃物１０が出入りする円形状の刃物用開口１１が複数個、すなわち、この例では、４個、種類を異にする４つの刃物１０毎に縦一列に間隔をあけて形成されている。カバー８は、箱体７の開放された下流面（Ｓ２）を塞ぎ、モータ９および刃物１０と共に図示のＺ軸方向（上下方向）およびＹ軸方向（前後方向）に、木口の加工形状に合わせて、下流面（Ｓ２）と密着した状態で移動する。各刃物１０は、これを駆動するモータ９と共に、図示のＸ軸方向（左右方向）にそれぞれ独立して移動し、木口の加工形状に合わせて選択される。
【０００７】
刃物が選択されると、選択された刃物１０Ａは、箱体７内の木口（Ｍ）と正対する位置まで、カバー８、刃物１０Ａを駆動するモータ９Ａ、他の刃物１０およびこられのモータ９と共に移動する。この後、選択された刃物１０Ａは、モータ９Ａと共に箱体７内の木口（Ｍ）に向かって、前記Ｘ軸方向に開口１１Ａを通って移動する。このようにして、刃物１０Ａが所定位置まで移動すると、予め設定された加工形状データに基づいて、選択された刃物１０Ａは、カバー８、刃物１０Ａを駆動するモータ９Ａ、他の刃物１０およびこられのモータ９と共に前記ＹおよびＺ軸方向に移動する。これによって、木材（Ｗ１）の木口（Ｍ）に所望の木口加工が施される。これらの動作は、制御器（図示せず）からの指令により全て自動的に行われる。
【０００８】
上記従来集塵装置によれば、木材（Ｗ１）の木口（Ｍ）の切削加工時に発生する木屑は、箱体７内に溜まるので周囲には飛び散らない。箱体７内の木屑は、排気ダクト７Ａから吸引により箱体７外に排出される。
【発明の開示】
【発明が解決しようとする課題】
【０００９】
上記従来集塵装置によれば、上述のように、木材（Ｗ１）の端部が箱体７およびカバー８により覆われているので、木口の切削加工時に発生する大部分の木屑は、箱体７内に溜まり周囲には飛び散らないが、一部の木屑は、箱体７外に飛び出すといった問題があった。すなわち、カバー８に形成された開口１１の内、木口と正対する開口１１Ａ内には、切削を行っている刃物１０の回転軸が挿通されているので、木屑がこの開口１１Ａから箱体７外に飛び出す量は少ないが、他の開口１１は、そのまま開放されているので、ここから木屑が箱体７外に飛び出しやすいといった問題があった。
【００１０】
従って、この発明の目的は、木屑用集塵装置を備えたプレカット設備により木材に切削加工を施す際に、一部の木屑が集塵装置外に飛び出すことを確実に防止することができる、木材のプレカット設備用集塵装置を提供することにある。
【課題を解決するための手段】
【００１１】
本願発明者は、上述の問題点を解決すべく鋭意検討を重ねた。この結果、箱体を塞ぐカバーに形成された複数個の開口にそれぞれ筒体を取り付け、切削加工時、加工部と正対していない開口の筒体内に刃物を挿入すれば、これらの開口が塞がれるので、一部の木屑が加工部と正対していない開口から箱体外に飛び出すことを防止することができ、また、各筒体内または各開口内に、スリットが放射状に形成されたシール材を取り付ければ、木屑の飛び出しをさらに確実に防止することができるといった知見を得た。
【００１２】
この発明は、上記知見に基づきなされたものであって、下記を特徴とするものである。
【００１３】
請求項１記載の発明は、木材の加工部を覆う、少なくとも一面が開放面となっている箱体と、前記箱体の前記開放面を塞ぐ板状カバーとを備え、前記カバーには、木材加工用の複数の刃物が出入りする開口が前記刃物毎に形成され、前記カバーは、木材加工時に前記刃物と一体的に垂直面内を移動する、木材のプレカット設備用集塵装置において、前記複数個の開口の各々の外側に、前記刃物が挿通可能な筒体が取り付けられ、木材加工時に、前記筒体の内、前記加工部と正対しない筒体は、加工を行っていない他の刃物により塞がれることに特徴を有するものである。
【００１４】
請求項２記載の発明は、請求項１記載の発明において、前記筒体内には、柔軟性を有し、スリットが放射状に形成されたシール材が設けられていることに特徴を有するものである。
【００１５】
請求項３記載の発明は、請求項１記載の発明において、前記開口内には、柔軟性を有し、スリットが放射状に形成されたシール材が設けられていることに特徴を有するものである。
【発明の効果】
【００１６】
この発明によれば、木屑用集塵装置を備えたプレカット設備により木材に切削加工を施す際に、一部の木屑が集塵装置外に飛び出すことを確実に防止することができる。
【発明を実施するための最良の形態】
【００１７】
この発明の、木材のプレカット設備用集塵装置の一実施態様を、図面を参照しながら説明する。
【００１８】
図１は、この発明の集塵装置を示す概略断面図、図２は、この発明の集塵装置のカバーを示す斜視図である。
【００１９】
図１に示すように、この発明の集塵装置は、木材（Ｗ１）の端部を覆う直方体状箱体７と板状カバー８とからなっている点において従来集塵装置と同様である。すなわち、箱体７は、定位置に垂直に固定され、その上流面（Ｓ１）には、木材（Ｗ１）の端部が挿通される四角形状の木材用開口７Ｂが形成され、下流面（Ｓ２）は、開放され、底部には、木屑の排出ダクト７Ａが設けられている。排出ダクト７Ａは、吸引ブロワ（図示せず）に接続されている。カバー８には、モータ９により回転する切削用刃物１０が出入りする円形状の刃物用開口１１が複数個、すなわち、この例では、４個、種類を異にする４つの刃物１０毎に縦一列に間隔をあけて形成されている。カバー８は、箱体７の開放された下流面（Ｓ２）を塞ぎ、モータ９および刃物１０と共に図示のＺ軸方向（上下方向）およびＹ軸方向（前後方向）に、木口の加工形状に合わせて、下流面（Ｓ２）と密着した状態で移動する。各刃物１０は、これを駆動するモータ９と共に、図示のＸ軸方向（左右方向）にそれぞれ独立して移動し、木口の加工形状に合わせて選択される。
【００２０】
この発明の集塵装置において従来集塵装置と異なる点は、カバー８の開口の各々の外側に筒体１２が取り付けられている事にある。筒体１２の内径は、刃物１０の外径より小さく、刃物１０が挿通可能になっている。
【００２１】
このように構成されている、この発明の集塵装置によれば、選択された刃物１０Ａにより木口（Ｍ）を加工しているときには、それ以外、すなわち、木口（Ｍ）と正対しない他の開口１１の筒体１２内に刃物１０を挿入させておく。これにより、従来集塵装置では開放されていた、木口（Ｍ）と正対していない他の開口１１が刃物１０により塞がれるので、これらの開口１１から木屑が箱体７外に飛び出す恐れは少なくなる。
【００２２】
なお、筒体１２と刃物１０との間には、若干の隙間があいているので、そこから木屑が飛び出す可能性がある。これを解消するためには、図３（Ａ）に示すように、筒体１２内に柔軟性を有し、スリットが放射状に形成されたゴム板等からなるシール材１３を取り付ければ良い。シール材１３は、同図（Ｂ）に示すように、開口１１内に取り付けても良い。何れの場合でも、シール材１３は、柔軟性を有し、スリット１３Ａが形成されているので、刃物１０の移動には支障は来たさない。
【００２３】
以上は、この発明の集塵装置を木材（Ｗ１）の端部に設置し、木口を切削加工する際に生じる木屑を集塵する場合であるが、木材（Ｗ１）の中間部に設置し、雌ほぞ等を切削加工する際に生じる木屑を集塵する場合にも適用できる。
【００２４】
この場合には、図４に示すように、箱体７の上流面（Ｓ１）と下流面（Ｓ２）とに木材（Ｗ１）が通過する木材用開口７Ｂを形成し、筒体１２が取り付けられた開口１１を有するカバー８、刃物１０およびモータ９を、箱体７の一方の側面（Ｓ３）または両側面（Ｓ３）および（Ｓ４）に設ける。図４において、図１と同一番号は、同一物を示し、説明は省略する。
【図面の簡単な説明】
【００２５】
【図１】この発明の集塵装置を示す概略断面図である。
【図２】この発明の集塵装置のカバーを示す斜視図である。
【図３】カバーに取り付けられた筒体を示す斜視図であり、（Ａ）は、筒体内にシール材が取り付けられた場合であり、（Ｂ）は、開口にシール材が取り付けられた場合である。
【図４】この発明の集塵装置を木材の中間部に設置した場合の概略斜視図である。
【図５】木材のプレカット装置の一例を示す概略平面図である。
【図６】従来集塵装置を示す概略斜視図である。
【符号の説明】
【００２６】
１：搬入機
２：長さ切断機
３：中間部加工機
４：中間搬送機
５Ａ：第１端部加工機
５Ｂ：第２端部加工機
６：搬出機
７：箱体
７Ａ：排出ダクト
７Ｂ：木材用開口
８：カバー
９：モータ
９Ａ：選択された刃物のモータ
１０：刃物
１０Ａ：選択された刃物
１１：刃物用開口
１１Ａ：選択された刃物の開口
１２：筒体
１３：シール材
【図１】
2007283725.tif 000003
【図２】
2007283725.tif 000004
【図３】
2007283725.tif 000005
【図４】
2007283725.tif 000006
【図５】
2007283725.tif 000007
【図６】
2007283725.tif 000008